(57)【要約】【課題】  電線への食い込みや傷が生じるのを防止して地絡や機器の故障を防止し、且つ短尺化することができる巻付バインドを提供する。【解決手段】  電線５に巻き付けられて当該電線５を碍子１に固定する巻付バインド１０であって、前記碍子１に係合する円弧形状を有する円弧部１１と、前記円弧部１１の両端部が延設されて前記電線５に巻き付かせる扁平帯状を有する螺旋部１２とを具備すると共に、少なくとも前記螺旋部１２の前記電線５に接触する面には、断面が凹凸状に設けられた滑止部１４を具備する。【選択図】      図１
2006228560.tif 000002
【特許請求の範囲】
【請求項１】
電線に巻き付けられて当該電線を碍子に固定する巻付バインドであって、
前記碍子に係合する円弧形状を有する円弧部と、前記円弧部の両端部が延設されて前記電線に巻き付かせる扁平帯状を有する螺旋部とを具備すると共に、少なくとも前記螺旋部の前記電線に接触する面には、断面が凹凸状に設けられた滑止部が設けられていることを特徴とする巻付バインド。
【請求項２】
請求項１において、前記螺旋部の先端部には前記電線の外側に折り返された返し部が設けられていることを特徴とする巻付バインド。
【請求項３】
請求項２において、前記返し部が前記電線の軸方向に対して直角方向に折り返されていることを特徴とする巻付バインド。
【請求項４】
請求項２又は３において、前記返し部の長さが１ｃｍ以下であることを特徴とする巻付バインド。
【請求項５】
請求項１〜４の何れかにおいて、前記円弧部の断面が、円形状を有することを特徴とする巻付バインド。
【請求項６】
請求項１〜５の何れかにおいて、前記螺旋部の少なくとも先端部が前記電線とは異なる色で形成されていることを特徴とする巻付バインド。
【請求項７】
請求項１〜６の何れかにおいて、前記滑止部が、前記螺旋部の前記電線に密着する側の面に長手方向に亘って設けられた凸部によって構成されていることを特徴とする巻付バインド。
【請求項８】
請求項７において、前記螺旋部の長手方向に亘って幅方向に複数も受けられた芯部と、複数の芯部の外周に一体的に設けられた被覆部とで構成されていることを特徴とする巻付バインド。
【発明の詳細な説明】
【技術分野】
【０００１】
本発明は、電線を碍子に固定する際に用いられる巻付バインドに関する。
【背景技術】
【０００２】
電線を電柱や鉄塔等の碍子に固定する場合、電線に巻き付かせる螺旋形状を有する巻付バインドを使用している（例えば、特許文献１参照）。
【０００３】
この巻付バインドは、例えば、断面が円形状を有するため、電線の自重や経年変化、風などの気象条件などによって電線に食い込んでしまい、巻付バインドが充電してしまう。このように巻付バインドが充電すると、充電した巻付バインドに鳥類などの小動物が接触し、地絡事故及び高圧線脱線事故等につながり、停電になってしまったり、機器が故障してしまうという問題がある。また、電柱や鉄塔等の地上から高い位置に設けられた巻付バインドの電線への食い込みは、地上から視認し難いため、送配電の停止や機器の故障の原因追及を容易に行えないという問題がある。
【０００４】
このため巻付バインドに絶縁性のカバーを設け、このカバーにより巻付バインドに直接鳥類が接触するのを防止して送配電の停止や機器の故障を防止していた。しかしながら、鳥害防止用のカバーを設けるのは煩雑であると共にコストが増大してしまうという問題がある。
【０００５】
また、巻付バインドは、特にその先端が電線に食い込み易く、巻付バインドの先端の電線への食い込みを防止するために、巻付バインドの先端に嵌合させるキャップ部材もある。しかしながら、巻付バインドの先端にキャップ部材を嵌合させる手間が煩雑であると共にコストも増大してしまうという問題がある。
【０００６】
さらに、巻付バインドを電線に螺旋状に巻き付かせる際には、ドライバーなどの工具を用いて電線を巻付バインドにこじ入れることで行っていた。このとき、ドライバによって電線や巻付バインドに傷が生じ易く、巻き付かせる際に生じた傷によって巻付バインドが充電してしまうという問題がある。
【０００７】
また、巻付バインドをドライバーなどの工具を用いて電線に巻き付ける際に、巻付バインドの先端によって電線に傷が付いてしまう場合がある。この場合、落雷時に傷部分から地絡が生じたり、電線が断線するという問題がある。
【０００８】
なお、巻付バインドを扁平帯状として、電線に面接触させることにより、把持力を向上して短尺化したものが提案されている（例えば、特許文献２参照）。
【０００９】
しかしながら、特許文献２の巻付バインドでは、電線に面接触することにより電線に食い込むのを防止することができるが、電線の把持力が低下し、短尺化することができないという問題がある。
【００１０】
【特許文献１】特開平７−３１２１３０号公報（第２〜４頁、第１〜３図）
【特許文献２】特開２００３−２８１９５４号公報（第２頁、第１図）
【発明の開示】
【発明が解決しようとする課題】
【００１１】
本発明はこのような事情に鑑み、電線への食い込みや傷が生じるのを防止して地絡や機器の故障を防止し、且つ短尺化することができる巻付バインドを提供することを課題とする。
【課題を解決するための手段】
【００１２】
上記課題を解決する本発明の第１の態様は、電線に巻き付けられて当該電線を碍子に固定する巻付バインドであって、前記碍子に係合する円弧形状を有する円弧部と、前記円弧部の両端部が延設されて前記電線に巻き付かせる扁平帯状を有する螺旋部とを具備すると共に、少なくとも前記螺旋部の前記電線に接触する面には、断面が凹凸状に設けられた滑止部が設けられていることを特徴とする巻付バインドにある。
【００１３】
かかる第１の態様では、電線に接触する面積を広くすることで、電線への食い込みを防止することができると共に、電線への把持力を向上して短尺化することができる。これにより、巻付バインドの充電を防止して、送配電の停止や機器の故障を防止してキャップ部材や鳥害防止用のカバーなどを設ける必要がなく、作業効率を向上してコストを低減することができる。
【００１４】
本発明の第２の態様は、第１の態様において、前記螺旋部の先端部には前記電線の外側に折り返された返し部が設けられていることを特徴とする巻付バインドにある。
【００１５】
かかる第２の態様では、電線に最も食い込む先端部に返し部を設けることで、巻付バインドが電線に食い込むのを防止することができる。
【００１６】
本発明の第３の態様は、第２の態様において、前記返し部が前記電線の軸方向に対して直角方向に折り返されていることを特徴とする巻付バインドにある。
【００１７】
かかる第３の態様では、巻付バインドを設置する際に、巻付バインドの先端によって電線に傷が付くのを確実に防止することができ、落雷時の地絡や電線の断線などを確実に防止することができる。
【００１８】
本発明の第４の態様は、第２又は３の態様において、前記返し部の長さが１ｃｍ以下であることを特徴とする巻付バインドにある。
【００１９】
かかる第４の態様では、返し部の長さを所定の長さ以下とすることで、カバー等を設置することができる。
【００２０】
本発明の第５の態様は、第１〜４の何れかの態様において、前記円弧部の断面が、円形状を有することを特徴とする巻付バインドにある。
【００２１】
かかる第５の態様では、碍子と巻付バインドとを確実に係合させて電線と碍子とを確実に固定することができる。
【００２２】
本発明の第６の態様は、第１〜５の何れかの態様において、前記螺旋部の少なくとも先端部が前記電線とは異なる色で形成されていることを特徴とする巻付バインドにある。
【００２３】
かかる第６の態様では、高所に取り付けられた巻付バインドであっても地上から巻付バインドの先端を視認することができ、巻付バインドの設置位置の確認等を容易に行うことができる。
【００２４】
本発明の第７の態様は、第１〜６の何れかの態様において、前記滑止部が、前記螺旋部の前記電線に密着する側の面に長手方向に亘って設けられた凸部によって構成されていることを特徴とする巻付バインドにある。
【００２５】
かかる第７の態様では、複数の凸部が電線に接触することで、電線への食い込みを防止すると共に把持力を向上して短尺化することができる。
【００２６】
本発明の第８の態様は、第７の態様において、前記螺旋部の長手方向に亘って幅方向に複数も受けられた芯部と、複数の芯部の外周に一体的に設けられた被覆部とで構成されていることを特徴とする巻付バインドにある。
【００２７】
かかる第８の態様では、芯部と芯部の外周に設けられた被覆部とで所望の形状の巻付バインドを形成することができると共に、巻付バインドによる電線の破壊等を防止できる。
【発明の効果】
【００２８】
本発明によれば、巻付バインドの扁平帯状を有する螺旋部に、凹凸状の滑止部を設けるようにしたため、螺旋部が電線に接触する面積を多くして電線への食い込みを防止することができると共に広すぎる接触面で把持力が低下するのを防止して、短尺化することができる。これにより、電線にキャップ部材や鳥害防止用のカバーを設ける必要がなく、電線と碍子とを固定する作業を簡略化することができると共にコストを低減することができる。
【発明を実施するための最良の形態】
【００２９】
以下に本発明を実施形態に基づいて詳細に説明する。
【００３０】
図１は、本発明の一実施形態に係る巻付バインドの平面図であり、図２は、巻付バインドの要部断面図である。図１に示すように、本実施形態の巻付バインド１０は、碍子１に係合する円弧形状を有する円弧部１１と、円弧部１１の両側が延設されて電線５に巻き付かせる螺旋形状を有する螺旋部１２とを具備する。
【００３１】
円弧部１１は、碍子１の凹部２の外径に合わせた内径を有する円弧形状を有する。この円弧部１１は、断面が円形状に形成されている。このように円弧部１１の断面を円形状にすることにより、円弧部１１が碍子１の凹部２に密着するため、円弧部１１を碍子１に確実に係合させることができる。
【００３２】
螺旋部１２は、円弧部１１の両端部がそれぞれ延設されて設けられている。この螺旋部１２は、扁平帯状となっており、扁平面が電線５に当接するように電線５の外径に合わせて螺旋形状に形成されている。
【００３３】
また、図２（ａ）に示すように、螺旋部１２の電線５に当接する接触面には、幅方向の断面が凹凸状となるように形成された複数の凸部１３によって滑止部１４が形成されている。この凸部１３は、螺旋部１２の長手方向に亘って、幅方向に所定の間隔で複数設けられている。そして、このような螺旋部１２の電線５に接触する面に凸部１３で形成された滑止部１４が設けられることで、螺旋部１２を電線５に巻き付けた際に、螺旋部１２が電線５に接触する面積を広くして螺旋部１２が電線５に食い込むのを防止することができる。すなわち、電線５の自重や経年、風などの気象条件によって螺旋部１２が電線５の食い込むのを防止して巻付バインド１０が充電するのを防止することができる。また、螺旋部１２の凸部１３の先端面のみが電線５に接触するため、螺旋部１２が電線５を把持する把持力を向上することができる。すなわち、接触面が広過ぎることで把持力が低下するのを防止することができる。これにより、螺旋部１２を短尺化することができ、巻付バインド１０の設置を容易に行うことができる。
【００３４】
なお、本実施形態の巻付バインド１０は、図２（ａ）に示すように、複数の金属等からなる芯部１００と、複数の芯部１００の外周に一体的に設けられた樹脂又はゴム等からなる被覆部１０１とで構成されており、複数の芯部１００によって複数の凸部１３が形成されている。
【００３５】
また、巻付バインド１０は、特にこれに限定されず、例えば、図２（ｂ）に示すように、一方面に複数の凸部が設けられた芯部１００Ａと、芯部１００Ａの外周に設けられた被覆部１０１Ａとで形成するようにしてもよい。
【００３６】
さらに、螺旋部１２の先端部には、電線５の外側、すなわち螺旋部１２の螺旋の外周の外側に向かって折り返された返し部１５が設けられている。本実施形態では、返し部１５を電線５の軸方向に対して直角方向に折り返すことで形成した。螺旋部１２の先端部にこのような返し部１５を設けることにより、巻付バインド１０の特に電線５に食い込み易い電線５に接触する先端側を曲面状として、電線５に先端部が食い込むのを防止することができる。
【００３７】
なお、返し部１５は、例えば、１ｃｍ以上の長さで形成するのが好ましいが、長すぎると、作業中に作業者の服などに引っかかるため、適宜長さを調整するのが好ましい。
【００３８】
このように巻付バインド１０は、先端部に返し部１５が設けられているため、返し部１５を把持して設置することでハンドリング性を向上することができる。このため、巻付バインド１０を電線５に巻き付ける際に、ドライバなどの工具を用いる必要がなく、工具により巻付バインド１０や電線５に傷が付くのを防止できる。これにより、巻付バインド１０が充電するのを防止することができる。また、巻付バインド１０の充電を防止することができるため、巻付バインド１０にキャップ部材や鳥害防止用のカバーなどを設置する必要がなくなり、作業効率を向上してコストを低減することができる。
【００３９】
なお、例えば、巻付バインド１０の少なくとも先端部に電線５とは異なる色を付け、先端部の位置を地上から視認し易くするようにしてもよい。すなわち、巻付バインド１０の先端は、高圧カバーとの距離を５ｃｍ以上にする必要があるが、電線５は一般的に耐光性を有する黒色、紺色等で形成されているため、巻付バインド１０を耐光性を有する黒色、紺色等の電線５と同系色で形成すると、地上から巻付バインド１０の先端の位置が視認し難い。このため、巻付バインド１０の少なくとも先端部を電線５とは異なる色、例えば、黄色や白色などにすることで、地上から巻付バインド１０の先端の位置を視認し易くして、高圧カバーとの距離を容易に確認することができる。もちろん、巻付バインド１０の全体を電線５とは異なる色で形成するようにしてもよい。このような、巻付バインド１０の先端部の色は、巻付バインド１０の先端部の外面に塗装により色を付けてもよく、被覆部１５及び１５Ａの材料自体に色を付けるようにしてもよい。
【産業上の利用可能性】
【００４０】
本発明は、電柱や鉄塔などの碍子に電線を固定する際に用いる巻付バンドに関するが、電柱や鉄塔以外の碍子についても利用可能である。
【図面の簡単な説明】
【００４１】
【図１】本発明の一実施形態に係る巻付バインドの平面図である。
【図２】本発明の一実施形態に係る巻付バインドの要部断面図である。
【符号の説明】
【００４２】
１  碍子
２  凹部
５  電線
１０  巻付バインド
１１  円弧部
１２  螺旋部
１３  凸部
１４  滑止部
１５  返し部
１００、１００Ａ  芯部
１０１、１０１Ａ  被覆部
【図１】
2006228560.tif 000003
【図２】
2006228560.tif 000004